(57)【要約】【課題】  ペットを室内飼育する場合、排尿・排便に対する躾は行うもののなかなかうまくいかず、シート外のカーペットや家具などを汚すことが多い。  【解決手段】  ペット用おしっこポールにおいて、該ポールは折畳み・平面から立体に展開が可能であり、かつポールの下端が該ポールに対して略直角に展開可能としたことを特徴とするペット用おしっこポール。【選択図】      図６
2006166795.tif 000002
【特許請求の範囲】
【請求項１】
ペット用おしっこポールにおいて、該ポールは折畳み・平面から立体への展開が可逆的に可能であり、かつポールの下端が該ポールに対して略直角に展開可能としたことを特徴とするペット用おしっこポール。  
【請求項２】
ポールが生分解可能なセルロース製であることを特徴とする請求項１記載のペット用おしっこポール。  
【請求項３】
ポールにペットが好む臭いあるいは同種の他の動物の臭いを付着させることを特徴とする請求項２記載のペット用おしっこポール。
【請求項４】
請求項２記載のペット用おしっこポールにペット用シートを装着した基盤の略中央に配置したことを特徴とするペット用トイレ。
【発明の詳細な説明】
【技術分野】
【０００１】
ペット用具に関し、特に雄犬用ペットに有効なペット用おしっこポールおよび該ポールを使用したペット用シートに関する。
【背景技術】
【０００２】
犬などのペットがおしっこをしても部屋を汚さないようにするためにペット用トイレの一部にポールを設けたペット用トイレ（特許文献１）が提案されている。この発明はペット用シートの一部にポールを立てることによってポールを目指してペットにおしっこをさせようとするものである。しかし、この提案ではポールの支持体が折畳みを可能にして運搬を容易にすることは記載されているものの、該ポール自身は形状が固定的で折畳みができないことと、及び該ポールはビニール樹脂やポリエチレンなどの合成樹脂の柔軟な防水シート製よりなっている旨記載されている。更に前記発明と同様の目的でペット用シートの一部にポールを設けた考案（非特許文献１）も提案されている。
これらの発明・考案によってペット特に雄犬がポールを中心におしっこをすることによって、ペットの排泄物の処理は大幅に改善された。しかしながら、前者の発明ではポールの形状が固定的であることから店頭での陳列あるいは飼育者のペット移動に伴うペット用トイレの運搬が大変であった。特に大型犬の場合にはポールの高さおよび直径共に大きくなること、加えて係止用開口外周縁体が突起体とほぼ直角をなしているために全体の外形状は非常に大きい物になっている。そのため運搬には大変苦労するという欠点を有していた。更に、ポールの組成がビニールあるいはポリエチレンなどの非生分解性物質であるために使用後の処理は微生物による分解は期待できないために燃焼せざるを得ないという欠点を有していた。
また、後者もほぼ同様の欠点を有している上にはポール体の固定の方法として、ポール体の底部に磁石を使用しているものの大きな力の作用に対しては不十分であることと、形状が固定的であるために生じる欠点は前記特許と同様の欠点を有している。
【０００３】
【特許文献１】特許第３０５０２８９号
【非特許文献１】実用新案公開公報平成３−１０２８３２号
【発明の開示】
【発明が解決しようとする課題】
【０００４】
犬などのペットの排泄物を特定されたシート上に確実に排泄させ、できればシート内でも特に限定された一部分にのみ排泄させることが望ましい。しかしながらこれまでの技術では限定された位置に排泄させることはかなり向上したものの、未だその確率は不十分である。更にポールの形状が固定的であるために常に外形状が大きく、店頭における展示スペースが広く必要であること飼育者がペットを移動するときは大変な荷物になってしまう欠点が顕在化している。更に、長い期間使用しているとポールに臭いが残ってしまい、新しいポールに交換することになるが、ポールの組成がビニールあるいはポリエチレンなどの非生分解性物からできていることから燃焼する以外他の手段はなかった。今求められている地球環境に優しい物に対してその方向に合致していない物であった。
【課題を解決するための手段】
【０００５】
本発明は、前記課題をペットのおしっこ用ポールにおいて、該ポールは折畳み・平面体から立体への展開が可逆的に可能であり、かつポールの下端が該ポールに対して略直角に展開可能としたことを特徴とするペットのおしっこ用ポールによって解決するものである。
【発明の効果】
【０００６】
本発明によればポールを折畳み・平面体から立体への展開が可逆的に可能になるために運搬時や店頭での展示の時の省スペースが可能になること、およびペットを移動させるときの運搬が平面化することによって極めて容易になる。特に最近では飼い主の移動と同時にペットを移動させることは当たり前になっており、荷物の小型化は大きな特長になる。
一方、地球環境が声高に言われており、本発明の材料が生分解性からできていることから今の要求に応える物となっている。
【発明を実施するための最良の形態】
【０００７】
本発明はペット用おしっこポールにおいて、該ポールは折畳み・平面から立体への展開が可逆的に可能であり、かつポールの下端が該ポールに対して略直角に展開可能としたことを特徴とするペットのおしっこ用ポールである。本発明のポール折畳み・平面から立体への展開が可逆的に可能であることである。折畳み・平面から立体への展開が可逆的に可能であることによって、運搬時特にペットの移動に伴ってペット用トイレも移動することが必要であるが、コンパクトに平面的に折りたたむことができれば、運搬が容易になり極めて便利である。特にポールの下端にポールの安定化のために広いプレート状の部分を設けた時はその効果は極めて大きい。例えば、ポールの高さが２５ｃｍ、ポールの径５ｃｍ、ポール下端の安定化プレートの縦横の長さを６２cm、４５cmとしたときは、単なる直方体として計算すると実に７０リットルとなるのである。他方、本発明によるポールの場合はなんと２．８リットルに過ぎない。
本発明で言うポールとは棒状のいわゆるポールに代表されるが、いわゆるポールに限定するものではない。勿論、棒状のいわゆるポールでも良いが、棒状ではない一方が太い物、逆に一方が細い物でも良い。ただ、あまりにもなだらかな傾斜のあるポールでは効果が少ないので、ポールの頂点とポールの端を結ぶ線と平坦部に引いた線とが作る角度が１２０度以下であることが好ましい。より好ましい該角度は略９０度である(図４)。
本発明になるポールの素材は特に限定するものではないが、好ましくは紙に代表されるセルロース製である。紙等のセルロースからなるポールは生分解性を有しているために排尿後の廃棄処理は簡単である。例えば、使用後のポールは土の中に埋め込むことによって、微生物によって分解されるので、地球環境にも優しい素材となるのである。
ポールの表面は撥水性を有していることが好ましく、ポールが紙製である場合は撥水性を有していることが特に好ましい。また、ポールの周囲に吸水性を有する物質を配置することによっておしっこがポールまで到達しにくくなるので、ポールの周囲に吸水剤を配置することが好ましい。例えば、中空状の袋になっている布製の袋の中に吸水性を有しているポリマを入れて、ポールを包むように配置することが好ましい。
更に、ポールにはペットが好む臭いあるいは同種の他の動物の臭いを付着させることが好ましい。例えば、ペットが犬である場合には他の同性の犬の臭いを付着することが有効である。このように特定された臭いを付着させることによって、ポールに向かっておしっこをする確率が大幅に上がるのである。特に雄犬はこの傾向が強く、効果が大きい。
前述したペット用おしっこポールは例えば、長方形プレートを一辺の長さが５ｃｍと高さ２５ｃｍの６角柱になるように折り曲げ接着し  更に  この６角柱を一辺の長さが各々４５ｃｍ、  ６２ｃｍからなる安定プレート１枚に接着し、これは使用していないときは折りたたんでおくが、使用に際して展開すると図６のようなポールが容易に完成するのである。
上述したポールをペット用トイレの略中央に配置したペット用おしっこポールは排尿の位置がペット用シートの極限られた場所に限定されるので、排尿後の処理が極めて容易になる。勿論シート外に排尿することはほとんどなくなる。
【実施例１】
【０００８】
段ボール製であり、該表面は撥水加工されていて図２に示すように折りたたまれた未展開ポールを図６のように展開して高さ２５ｃｍ、一辺の長さが５ｃｍの断面が６角形からなるポール部分、その下端に一辺の長さが４５ｃｍＸ６２ｃｍの長方形の安定プレート部分１枚を付随するポールとした。
このポールを安定プレートの略中央部分に展開時にワンタッチでポールが立つように６角形のポールの２面ののりしろ部分を図５のように接着した。
更に市販されているおしっこシーツの中央部に穴を開けポールの上から差込み安定プレートに装着し  ポールにも同じく市販のおしっこシーツを巻きつけ  上部で余った部分はポール空洞部に差し込んだ。このシーツは市販されているもので尿素がしみこませてあるものを使用した。
雄犬を解放し３０日間飼育した結果、９５％以上の確率でポールの近傍でおしっこした。シート外への放尿は全くなかった。
【実施例２】
【０００９】
実施例１で使用したポールを移動に伴って折りたたんだところ、長さ３１ｃｍ幅が４５ｃｍ、厚さが２ｃｍのコンパクトな形状になった。持ち運びが極めて容易であった。使用後のポールは土の中に埋め込むことによって、微生物によって分解されるので、地球環境にも優しい素材となるのである。  
【産業上の利用可能性】
【００１０】
現在ペットブームであり、非常に多くのペットが飼育されている。特に最近の傾向として室内飼育が盛んである。他方、室内飼育の問題として排尿排便の問題がある。特に排尿の躾がなかなかうまくいかず、おしっこシートを使用してもその外へ放尿することが少なくない。本発明によれば非常に高い確率でほぼ一定の場所に放尿し、放尿を特定化する突起状物の運搬も手軽にできるので、該技術は広く活用されるものと期待できる。
【図面の簡単な説明】
【００１１】
【図１】本考案のおしっこポールを折りたたんで側面より透視した図
【図２】図１を９０度回転させた図
【図３】図２を展開する過程の図
【図４】本考案のおしっこポールを真横から見た図
【図５】本考案のおしっこポール真上から見た図
【図６】本考案のおしっこポールの斜視図
【図７】本考案にペットシーツを装着した図
【符号の説明】
【００１２】
１  おしっこポール
２  安定プレート
３  ポール
４  のりしろ
５  空洞部
６  ペットシーツ
７  ポール内のりしろ
【図１】
2006166795.tif 000003
【図２】
2006166795.tif 000004
【図３】
2006166795.tif 000005
【図４】
2006166795.tif 000006
【図５】
2006166795.tif 000007
【図６】
2006166795.tif 000008
【図７】
2006166795.tif 000009